(57)【要約】【課題】用紙表面に物質を付与することで用紙表面に模様を浮き出すことができる浮き出し模様を有する用紙を提供する。【解決手段】用紙１表面に、水を薄く塗布するなど所定の物質を付与すると、その物質を吸収して膨潤したり、物質と反応して膨張することで、用紙１の表面に模様２を浮き出す模様発現部を設けた。（コメント）３／２９日の御指摘の意図に沿うように補正を致しました。それに伴って、請求項４の「塗工又は含浸」を「塗工、印刷又は含浸」としました。【特許請求の範囲】
【請求項１】
用紙表面に付与された物質やエネルギーを吸収し若しくは物質と反応して膨張することで用紙表面に模様を浮き出す模様発現部を設けたことを特徴とする浮き出し模様を有する用紙。
【請求項２】
用紙に外添するサイズ材の塗布量を模様発現部と他の部分で異ならせたことを特徴とする請求項１記載の浮き出し模様を有する用紙。
【請求項３】
用紙表面に物質透過量を制御するコーティング層を形成するとともに、模様発現部にはコーティング層を形成せず若しくは他の部分とコーティング層の厚さを異ならせたことを請求項１又は２記載の浮き出し模様を有する用紙。
【請求項４】
用紙の模様発現部に、液体を吸収して膨潤したり液体やガスと反応して膨張する物質を塗工、印刷又は含浸したことを特徴とする請求項１記載の浮き出し模様を有する用紙。
【請求項５】
表面に凹凸部分または親水性あるいは疎水性の部分を有するプレスロールを用いて水溶性高分子材料やエマルジョンを用紙に塗布し、液体を吸収して膨潤することで模様を浮き出す模様発現部を形成することを特徴とする浮き出し模様を有する用紙の製造方法。
【発明の詳細な説明】
【０００１】
【発明の属する技術分野】
本発明は、用紙表面に薄く水を塗布する等、用紙表面に物質を付与することで用紙表面に模様を浮き出すようにした浮き出し模様を有する用紙に関するものである。
【０００２】
【従来の技術】
従来、一般的に用紙においては、ファンシーペーパー用途を除いて、表面にむらや凹凸が存在することは嫌われ、種々の環境条件に晒されても表面が平滑で平坦であることが要請されている。そのため、用紙表面に、水溶性高分子やエマルジョンなどを均一に塗布し、紙面の強度改善やサイズ度の調整などが行われている。
【０００３】
また、偽造防止用の用紙においては、透かしを設けたり、特殊な繊維を抄き込んだり、コピー防止用のパターン印刷を行うなどの手段が講じられているが、いずれも自然な風合いの用紙ではない。
【０００４】
【発明が解決しようとする課題】
そこで、通常時には平滑で平坦な表面性状で自然な風合いでありながら、随時に用紙表面に適当な物質を付与するなどの簡単な処理を施すことによって特徴的な模様が表示されて、偽造防止用途やファンシーペーパー用途として好適に使用できる用紙が開発されることが望まれる。
【０００５】
本発明は、このような課題に鑑み、用紙表面に物質を付与することで用紙表面に模様を浮き出すことができる浮き出し模様を有する用紙を提供することを目的とする。
【０００６】
【課題を解決するための手段】
本発明の浮き出し模様を有する用紙は、用紙表面に付与された物質やエネルギーを吸収し若しくは物質と反応して膨張することで用紙表面に模様を浮き出す模様発現部を設けたことを特徴とする。
【０００７】
この構成によれば、用紙の表面に薄く水などの液体を塗布したり、特殊なガスを吹き付けたり、光や熱エネルギーを付与する等、随時に物質やエネルギーを付与すると、用紙の模様発現部が物質やエネルギーを吸収して膨潤・膨張したり、物質と反応して膨張することにより模様が浮き出すことになり、必要時に所定の物質やエネルギーを付与することで模様を浮き出させることができる用紙を提供することができ、偽造防止用途やファンシーペーパー用途などに好適に使用することができる。
【０００８】
また、用紙に外添するサイズ材の塗布量を模様発現部と他の部分で異ならせると、模様発現部でサイズ度が異なるため、用紙表面に薄く水を塗布すると模様発現部で顕著に水分を吸収し膨潤して模様が浮き出すようにできる。従って、単にサイズ材の塗布量を変えるだけで用紙を製造できるとともに、水を薄く塗布するだけの簡単な処理で模様を発現させることができ、またその後乾燥すると元の状態に復元するため、実用的な用紙で非常に簡単に偽造防止機能を持たせることができる。
【０００９】
また、用紙表面に物質透過量を制御するコーティング層を形成するとともに、模様発現部にはコーティング層を形成せず若しくは他の部分とコーティング層の厚さを異ならせると、コーティング層にて用紙内への物質の浸透が制御されることで、主に模様発現部でのみ物質が吸収されて膨潤したり、用紙内に添加された材料と物質が反応して膨張したりして模様が浮き出すようにできる。従って、製品の製造工程の任意の時点でコーティング層を形成することで、任意の箇所に明瞭な模様を浮き出させることができる。
【００１０】
また、逆に用紙の模様発現部に、液体を吸収して膨潤したり液体やガスと反応して膨張する物質を塗工又は含浸したり、印刷機を用いて用紙の模様発現部に、液体を吸収して膨潤したり液体やガスと反応して膨張する物質を印刷しても、上記と同様に、模様発現部で物質が膨潤したり、物質が反応して膨張したりして模様が浮き出すようにできる。
【００１１】
また、本発明の浮き出し模様を有する用紙の製造方法は、表面に凹凸部分または親水性あるいは疎水性の部分を有するプレスロールを用いて水溶性高分子材料やエマルジョンを用紙に塗布し、液体を吸収して膨潤することで模様を浮き出す模様発現部を形成することを特徴とするものであり、プレスロールの表面に簡単な加工を行うだけで、簡単に上記浮き出し模様を有する用紙を製造することができる。ここで言うプレスロールには、抄紙工程で使用されるプレスロールに限らず、印刷工程で使用される印刷ロール等、表面に凹凸部分または親水性あるいは疎水性の部分を有するロールを好適に使用することができる。
【００１２】
【発明の実施の形態】
以下、本発明の浮き出し模様を有する用紙の一実施形態について、図１、図２を参照して説明する。
【００１３】
図１において、１は用紙で、通常時は図１（ａ）に示すように全面が平坦であるが、その表面に薄く水を塗布すると、図１（ｂ）に示すように、模様（図示例ではドーナツ状の模様）２が浮き出して来る。
【００１４】
このような用紙１は、抄紙機のサイズプレスロールの表面に比較的深い凹部または凸部を形成してこの凹凸部分で用紙表面にサイズ材が外添されないようにしておき、このようなサイズプレスロールを有する抄紙機を用いて抄紙することで簡単に製造することができる。
【００１５】
すなわち、図２（ａ）に示すように、用紙１の所望箇所にサイズ材３が外添されない部分を形成することで、模様２が発現する模様発現部４を有する用紙１が得られる。その後、この用紙１の表面に、薄く水を塗布すると、サイズ材３の外添されていない模様発現部４において、その水が用紙１の内部に浸透して用紙１を膨潤させるため、図２（ｂ）に示すように、用紙が表面側に突出して模様２が浮き出すことになる。
【００１６】
なお、本実施形態では、図２に示すように、用紙１の表面に、模様発現部４を除いて水の透過を抑制するコーティング層５を形成しており、多少多めに水が塗布された場合でも、塗布した水が模様発現部４以外の部分に浸透してその部分が膨潤するのが確実に防止され、模様２をより明瞭に浮きだすことができるとともに、用紙１の模様発現部４以外の部分に悪影響を与えるのを確実に防止することができる。
【００１７】
上記実施形態の説明では、サイズ材３の非塗布部とコーティング層５にて模様発現部４を形成した例を示したが、サイズ材３の非塗布部とコーティング層５の何れか一方のみで模様発現部４を形成してもよい。
【００１８】
また、上記実施形態では、抄紙機のサイズプレスロールの表面に、凹部又は凸部を設けることでサイズ材３が外添されない模様発現部４を形成する例を示したが、化学的に親水性又は疎水性を有する部分を設けることでサイズ材３が外添されない模様発現部４を形成してもよい。
【００１９】
また、抄紙機では、サイズ材３を外添せずに、各種塗布装置や印刷機を用いて非塗布部や塗布量の少ない部分を形成してもよい。
【００２０】
また、上記実施形態では、模様２を発現させる際に水を薄く塗布する例を示したが、その他、例えばアルコールやその他の有機媒体などの液体を吸収して膨潤したり、反応して膨張する材料を用紙１に充填しておいて、その液体を塗布することで模様２を浮き出させるようにしても良い。さらに、液体に限らず炭酸ガスや水素ガスやなどのガスと反応して膨張する材料を用紙１に充填しておいて、そのガスを用紙１の表面から吹き付けることで模様２を浮き出させるようにようにしても良い。
【００２１】
また、液体やガスなどの物質に限らず、熱や光エネルギーを付与することによって膨張する材料を用紙１に充填しておいて、それらのエネルギーを用紙１の表面に照射することで模様２を浮き出させるようにしても良い。
【００２２】
さらに、以上の説明では、用紙１の全体に物質やエネルギーの付与によって膨潤したり、膨張したりする物質が存在し、用紙１の表面を、模様発現部４を除いてサイズ材３やコーティング層５にて覆っているものを示したが、逆に用紙１の表面の内、模様発現部４にのみ液体を吸収して膨潤したり液体やガスと反応して膨張する物質を塗工又は含浸させても良い。
【００２３】
【発明の効果】
本発明によれば、用紙の表面に随時に所定の物質やエネルギーを付与すると、用紙の模様発現部が物質を吸収して膨潤したり、物質やエネルギーと反応して膨張することにより模様が浮き出すので、偽造防止用途やファンシーペーパー用途などに使用することで大きな効果を発揮する。
【図面の簡単な説明】
【図１】本発明の一実施形態の用紙を示し、（ａ）は通常の状態を示す斜視図、（ｂ）は模様を浮き出した状態の斜視図である。
【図２】同実施形態の用紙の詳細構成を示し、（ａ）は通常の状態を示す部分拡大断面図、（ｂ）は模様を浮き出した状態の部分拡大断面図である。
【符号の説明】
１  用紙
２  模様
３  サイズ材
４  模様発現部
【図１】
2004339649.tif 000002
【図２】
2004339649.tif 000003